(57)【要約】【課題】  外面電極が剥がれることがなく、長時間の点灯でも電気的な特性が変わらず、高信頼性を有する平面型放電ランプを提供する。【解決手段】  本発明の平面型放電ランプ１Ａは、所定の間隔で対向する前面板２と背面板３とを気密に封着し、前面板と背面板との間の放電空間７内に放電媒体を封入し、前面板２又は背面板３の外側面の適所に、溶融半田５１を垂らし、その溶融半田に超音波振動を加えてガラス材と半田とを密着させることによって外部電極５を形成したものである。【選択図】      図２
2007073253.tif 000002
【特許請求の範囲】
【請求項１】
所定の間隔で対向する前面板と背面板とを気密に封着し、前記前面板と背面板との間の放電空間内に放電媒体を封入し、前記前面板又は背面板の外側面の適所に、溶融半田を垂らし、その溶融半田に超音波振動を加えてガラス材と半田とを密着させることによって外部電極を形成したことを特徴とする平面型放電ランプ。
【請求項２】
前記半田は、その主成分がスズ、スズとインジウムとの合金、スズとビスマスとの合金のいずれかであることを特徴とする請求項１に記載の平面型放電ランプ。
【請求項３】
前記半田は、添加剤としてアンチモン、亜鉛、アルミニウムの少なくとも１種類を含むことを特徴とする請求項１又は２に記載の平面型放電ランプ。
【発明の詳細な説明】
【技術分野】
【０００１】
本発明は、平面型放電ランプに関する。
【背景技術】
【０００２】
従来、所定の間隔で対向する前面板と背面板とを気密に封着し、これらの前面板と背面板との間の放電空間内に放電媒体を封入し、前面板と背面板の一方あるいは両方の放電空間に面する内側面に蛍光体層を形成し、さらに前面板又は背面板の外部の適所に外部電極を設置した平面型放電ランプとして、特開平１０-２２２０８３号公報（特許文献１）に記載されたものが知られている。
【０００３】
このような従来の平面型放電ランプでは、外部電極としてアルミ粘着テープが用いられており、これを電極形成予定部に貼付けることによって外部電極を設置する方法が採られている。
【０００４】
しかしながら、従来の平面型放電ランプでは、放電によって発生する紫外線がアルミ粘着テープの外部電極に照射することでその粘着剤が劣化し、テープが剥がれる不具合が発生することがある問題点があった。
【特許文献１】特開平１０-２２２０８３号公報
【発明の開示】
【発明が解決しようとする課題】
【０００５】
本発明は、上述したような従来技術の問題点に鑑みてなされたものであり、外面電極が剥がれることがなく、長時間の点灯でも電気的な特性が変わらず、高信頼性を有する平面型放電ランプを提供することを目的とする。
【課題を解決するための手段】
【０００６】
請求項１の発明の平面型放電ランプは、所定の間隔で対向する前面板と背面板とを気密に封着し、前記前面板と背面板との間の放電空間内に放電媒体を封入し、前記前面板又は背面板の外側面の適所に、溶融半田を垂らし、その溶融半田に超音波振動を加えてガラス材と半田とを密着させることによって外部電極を形成したことを特徴とするものである。
【０００７】
請求項２の発明は、請求項１の平面型放電ランプにおいて、前記半田は、その主成分がスズ、スズとインジウムとの合金、スズとビスマスとの合金のいずれかであることを特徴とするものである。
【０００８】
請求項３の発明は、請求項１又は２の平面型放電ランプにおいて、前記半田は、添加剤としてアンチモン、亜鉛、アルミニウムの少なくとも１種類を含むことを特徴とするものである。
【発明の効果】
【０００９】
本発明によれば、外面電極がガラス板と固く密着し、外面電極が剥がれることがなく、長時間の点灯でも電気的な特性が変わらず、高信頼性を有する平面型放電ランプを提供することができる。
【発明を実施するための最良の形態】
【００１０】
以下、本発明の実施の形態を図に基づいて詳説する。
【００１１】
（第１の実施の形態）図１、図２は本発明の第１の実施の形態の平面型放電ランプ１Ａを示しており、各図において、２は平坦な前面板、３は波板状の背面板、４は枠ガラス、５は外部電極を表している。図示していないが、前面板２、背面板３の一方又は両方の放電空間に面する内側面には蛍光体層が形成してある。前面板２と背面板３とは所定の間隔で対向させ、枠ガラス４を介し封着剤にて封着してある。背面板３は波板ガラスであり、その凹部は前面板２と接触して間隔を保持すると共に補強するスペーサーの役割を果たし、その凸部の内側の前面板２との間の空隙が放電空間７となっている。
【００１２】
このような構成の平面型放電ランプ１Ａは、その外部電極５，５それぞれにリード線８を接続し、インバータ９にて高電圧を印加することによって放電点灯させる。
【００１３】
次に、上記構造の平面型放電ランプ１Ａにおける外部電極５の設置方法について説明する。図２は外部電極５の設置方法を示している。超音波半田装置５０を用いて、平坦な前面板２の所定の電極設置部位に対して溶融半田５１を垂らしながら超音波発振器５２によりこの溶融半田５１に超音波振動を加えていく。
【００１４】
この超音波半田装置５０は、溶融半田槽５３に溶融半田５１を貯留していて、溶融半田流出弁５４を開くことでこの溶融半田５１を超音波チップ付きノズル５５から流下させ、同時に超音波発振器５２の振動を超音波伝導棒５６にて超音波チップ付きノズル５５に伝達してこれに超音波振動を与え、そこを流下する溶融半田５１にも超音波振動を与える構成である。
【００１５】
これにより、溶融半田５１は比較的滑らかな表面を持つガラス材の前面板２に対して固く密着し、剥がれにくい外部電極５を形成することができ、従来のアルミ粘着テープによる外部電極のように紫外線にて劣化する粘着剤が介在しないためにその劣化の恐れがなく、外面電極が剥がれることがなく、長時間の点灯でも電気的な特性が変わらず、高信頼性を有する平面型放電ランプを実現することができる。
【００１６】
尚、半田の材料としては、スズ、スズとインジウムとの合金、スズとビスマスとの合金の何れか主成分としたものを用いることができ、これらを選択することでねばり強く強固な外部電極５を形成することができる。また、半田材料の添加剤として、アンチモン、亜鉛、アルミニウムの内の少なくとも１種類を添加することで、ガラス表面と半田電極層とのなじみをより良くし、剥がれにくい外部電極５を形成することができる。さらに、半田材料を無鉛化することにより、環境に配慮した平面型放電ランプを構成できる。
【００１７】
（第２の実施の形態）図３は本発明の第２の実施の形態の平面型放電ランプ１Ｂの製造方法を示している。本実施の形態の平面型放電ランプ１Ｂは、第１の実施の形態とは前面板と背面板との形状を逆にしたものであり、波板状の前面板２と平坦な背面板３を枠ガラス４を介して封着した構造を特徴とする。そして、外部電極５は波板状の前面板２に形成している。
【００１８】
この外部電極５の設置方法は第１の実施の形態と同様であり、超音波半田装置５０を用いて、波板状の前面板２の所定の電極設置部位に対して溶融半田５１を垂らしながら超音波発振器５２によりこの溶融半田５１に超音波振動を加えていく。また、半田材料としては第１の実施の形態と同様のものを用いる。
【００１９】
本実施の形態にあっても、第１の実施の形態と同様に、従来のアルミ粘着テープによる外部電極のように紫外線にて劣化する粘着剤が介在しないためにその劣化の恐れがなく、外面電極が剥がれることがなく、長時間の点灯でも電気的な特性が変わらず、高信頼性を有する平面型放電ランプを実現することができる。
【００２０】
（第３の実施の形態）本発明の第３の実施の形態の平面型放電ランプ１Ｃについて、図４、図５を用いて説明する。第３の実施の形態の平面型放電ランプ１Ｃは、第１の実施の形態と同様の構成であるが、外部電極５の形成方法が異なっている。よって、図１、図２に示した第１の実施の形態と共通する要素には同一の符号を用いて説明する。
【００２１】
本実施の形態では、外部電極５の設置に際して、まず、前面板２の電極設置部位の全体にブラスト処理を施してブラスト処理面１０を形成しておき、そして第１の実施の形態と同様の溶融半田装置５０を用いて溶融半田をブラスト処理面１０上に垂らしながら超音波振動を加えてゆくことで外部電極５を形成する。
【００２２】
尚、半田材料やその添加物には第１、第２の実施の形態と同様のものを採用することができる。
【００２３】
本実施の形態の場合、外部電極５を形成するのに、その素材として溶融半田を用い、かつ超音波振動を加えることでガラス面に密着させることができる上に、ガラス面にブラスト処理面１０を形成しておき、そこに半田電極を形成することでガラス面と電極面との接触面積を広くすることができ、より強固に密着した外部電極を形成できる。よって、本実施の形態の平面型放電ランプ１Ｃの場合にも、従来のアルミ粘着テープによる外部電極のように紫外線にて劣化する粘着剤が介在しないためにその劣化の恐れがなく、外面電極が剥がれることがなく、長時間の点灯でも電気的な特性が変わらず、高信頼性を有する平面型放電ランプを実現することができる。
【図面の簡単な説明】
【００２４】
【図１】本発明の第１の実施の形態の平面型放電ランプの斜視図。
【図２】本発明の第１の実施の形態の平面型放電ランプにあって、その外部電極形成方法を示す断面図。
【図３】本発明の第２の実施の形態の平面型放電ランプにあって、その外部電極形成方法を示す断面図。
【図４】本発明の第３の実施の形態の平面型放電ランプの斜視図。
【図５】本発明の第３の実施の形態の平面型放電ランプの外面電極形成部分の拡大断面図。
【符号の説明】
【００２５】
１Ａ，１Ｂ，１Ｃ  平面型放電ランプ
２  前面板
３  背面板
５  外部電極
５１  溶融半田
５２  超音波発振器
【図１】
2007073253.tif 000003
【図２】
2007073253.tif 000004
【図３】
2007073253.tif 000005
【図４】
2007073253.tif 000006
【図５】
2007073253.tif 000007